(57)【要約】【課題】  照明装置を使って撮像が行われる場合に、照明装置を駆動するトランジスタの小型化を図る照明制御装置を提供する。【解決手段】  撮像装置の照明制御装置は、露光時間内に一定周期のパルス信号の供給を受けることで被写体に向けた点灯を行う照明手段を備える。第１周期でかつ互いに位相がずれた第１、第２パルス信号を出力するパルス信号出力手段を備える。第１、第２トランジスタを介して、第１、第２パルス信号を照明手段に供給する第１、第２点灯手段を備える。第１、第２パルス信号は、互いに第１周期の１／２だけ位相がずれる。第１、第２パルス信号のデューティ比は同じ第１デューティ比である。【選択図】      図６
2005128420.tif 000002
【特許請求の範囲】
【請求項１】
露光時間内に一定周期のパルス信号の供給を受けることで被写体に向けた点灯を行う照明手段と、
第１周期でかつ互いに位相がずれた第１、第２パルス信号を出力するパルス信号出力手段と、
第１、第２トランジスタを介して、前記第１、第２パルス信号を前記照明手段に供給する第１、第２点灯手段とを備える撮像装置の照明制御装置。
【請求項２】
前記第１、第２パルス信号は、互いに前記第１周期の１／２だけ位相がずれていることを特徴とする請求項１に記載の照明制御装置。
【請求項３】
前記第１、第２パルス信号のデューティ比は同じ第１デューティ比であることを特徴とする請求項２に記載の照明制御装置。
【請求項４】
前記パルス信号出力手段は、前記第１周期の１／２倍の周期である第２周期及び前記第１デューティ比の２倍の第２デューティ比の初期パルス信号を発生させるＣＰＵと、前記初期パルス信号を前記第１周期及び５０％デューティ比の第１中間パルス信号と前記第１中間パルス信号と逆位相の第２中間パルス信号とに変換し出力する分周器と、前記第１中間パルス信号と前記初期パルス信号とを論理積演算し前記第１パルス信号を出力する第１アンド回路と、前記第２中間パルス信号と前記初期パルス信号とを論理積演算し前記第２パルス信号を出力する第２アンド回路とを有することを特徴とする請求項３に記載の照明制御装置。
【請求項５】
前記一定周期は１／５０秒以下であることを特徴とする請求項１に記載の照明制御装置。
【請求項６】
前記照明手段は光源としてＬＥＤを備えることを特徴とする請求項１に記載の照明制御装置。
【請求項７】
前記第１、第２トランジスタの第１、第２コレクタは共に前記ＬＥＤのカソード側に接続されることを特徴とする請求項６に記載の照明制御装置。
【発明の詳細な説明】
【技術分野】
【０００１】
本発明は、撮像装置における照明制御装置に関し、特に照明用ＬＥＤを駆動するトランジスタの照明動作の改良に関する。
【背景技術】
【０００２】
従来、カメラなどの撮像装置で広く用いられてきた、キセノン管などのストロボ発光による照明装置に代わり、低電圧駆動が可能で回路構成が簡単なＬＥＤを使った照明装置が提案されている。
【０００３】
ＬＥＤを連続して発光させることにより、ＬＥＤは温度上昇する。この温度上昇はＬＥＤの光量を下げる原因となる。図１は、温度上昇とＬＥＤの光量の関係を示す図であり、温度上昇に伴って、ＬＥＤの光量すなわち輝度が落ちることが分かる。
【０００４】
特許文献１は、撮像装置において、矩形波のパルス駆動によるＬＥＤ発光を行い、静止画の発光撮影の連写を可能にしたＬＥＤによる照明装置を開示している。ＤＣ（直流）駆動に比べてパルス駆動を用いると通電オフ期間が設けられるので、発光に伴い発生する熱によるＬＥＤの温度上昇を抑えることが可能である。図２は、横軸に時間をとり、ＤＣ駆動の場合のＬＥＤの温度上昇（図２の（１）線）と、パルス駆動の場合のＬＥＤの温度上昇（図２の（２）線）の違いを示す図である。いずれも信号がオン状態にある場合は、照明用ＬＥＤは点灯する。ＤＣ駆動の場合は、ＬＥＤを点灯すべき期間の間（Ｔ０〜Ｔ５）、定常電流が流れるため、ＬＥＤの温度は上昇し続ける。オフにした時点（Ｔ５）から、温度は下がる。一方、パルス駆動の場合は、ＬＥＤを点灯すべき期間の間にも信号がオフにされる期間（Ｔ１〜Ｔ２、Ｔ３〜Ｔ４）があり、この期間の間、ＬＥＤの温度は下がる。そのため、ＬＥＤの点灯期間中（Ｔ０〜Ｔ５）にも、ＬＥＤの温度は上昇と下降を繰り返し、結果として熱の蓄積は、ＤＣ駆動の場合に比べて少なくて済む。
【特許文献１】特開２００３−１０１８３６号公報
【発明の開示】
【発明が解決しようとする課題】
【０００５】
しかし、特許文献１の装置のパルス駆動を採用してもなお電力消費の大きいＬＥＤを駆動するにはコレクタ損失を考慮した大型のトランジスタが必要となる。トランジスタが大型になると回路の小型化を図ることができない。また、大型のトランジスタを駆動することによりトランジスタ自体の発熱が多く、ＬＥＤへ影響を及ぼすおそれもある。
【０００６】
したがって本発明の目的は、照明装置を使って撮像が行われる場合に、照明装置を駆動するトランジスタの小型化を図る照明制御装置を提供することである。
【課題を解決するための手段】
【０００７】
本発明に係る撮像装置の照明制御装置は、露光時間内に一定周期のパルス信号の供給を受けることで被写体に向けた点灯を行う照明手段と、第１周期でかつ互いに位相がずれた第１、第２パルス信号を出力するパルス信号出力手段と、第１、第２トランジスタを介して、第１、第２パルス信号を照明手段に供給する第１、第２点灯手段とを備える。これにより、１つのトランジスタでパルス信号を駆動し同じ照明手段を発光させる場合よりも、小型で定格の小さいトランジスタを利用することが可能になる。
【０００８】
好ましくは、第１、第２パルス信号は、互いに第１周期の１／２だけ位相がずれる。これにより、第１、第２トランジスタの負担が同じになる。
【０００９】
さらに好ましくは、第１、第２パルス信号のデューティ比は同じ第１デューティ比である。これにより、第１、第２トランジスタから交互に１つのパルスを照明手段に供給することが可能になる。
【００１０】
さらに好ましくは、パルス信号出力手段は、第１周期の１／２倍の周期である第２周期及び第１デューティ比の２倍の第２デューティ比の初期パルス信号を発生させるＣＰＵと、初期パルス信号を第１周期及び５０％デューティ比の第１中間パルス信号と第１中間パルス信号と逆位相の第２中間パルス信号とに変換し出力する分周器と、第１中間パルス信号と初期パルス信号とを論理積演算し第１パルス信号を出力する第１アンド回路と、第２中間パルス信号と初期パルス信号とを論理積演算し第２パルス信号を出力する第２アンド回路とを有する。これにより、ＣＰＵから出力される１つのパルス信号を、２倍の周期及び５０％デューティ比でかつ１／２周期分位相のずれた２つのパルス信号を、第１、第２点灯手段に出力することが可能になる。
【００１１】
さらに好ましくは、一定周期は１／５０秒以下である。照明手段の点灯時のちらつきを抑えることが可能になる。
【００１２】
また、好ましくは、照明手段は光源としてＬＥＤを備える。
【００１３】
さらに好ましくは、第１、第２トランジスタの第１、第２コレクタは共にＬＥＤのカソード側に接続される。これにより、第１、第２トランジスタを並列接続やダーリントン接続する場合よりも電源効率が良くなる。
【発明の効果】
【００１４】
以上のように本発明によれば、照明装置を使って撮像が行われる場合に、照明装置を駆動するトランジスタの小型化を図る照明制御装置を提供することができる。
【発明を実施するための最良の形態】
【００１５】
以下、本発明の実施形態について、図を用いて説明する。図３は、本実施形態の照明制御装置を備える撮像装置１の背面からの斜視図である。図４は、撮像装置１の正面図である。図５は、撮像装置１の回路構成図である。撮像装置１はデジタルカメラであるとして説明する。図６は、各部で出力されるパルス信号の波形を示す。
【００１６】
撮像装置１の撮像に関する部分は、光学ファインダ１１、ＬＥＤオンボタン１２、レリーズボタン１４、連写ボタン１５、動画ボタン１６、ＬＣＤモニタ１７、及び照明用ＬＥＤ３１から構成される。光学ファインダ１１は、被写体像を光学的に観察可能な装置である。被写体像は、ＬＣＤモニタ１７によってもＣＣＤ（不図示）などの撮像素子から構成される撮像ブロック２２によって撮像された画像を表示させることができる。
【００１７】
ＬＥＤオンボタン１２は、押下することによってＬＥＤオンスイッチ１２ａがオン状態にされ露光時などに照明用ＬＥＤ３１を点灯させる。レリーズボタン１４は、半押しすることにより測光スイッチ１３ａがオン状態にされ測光や測距及び合焦動作が行われ、全押しすることによりレリーズスイッチ１４ａがオン状態にされ撮像が行われる。連写ボタン１５は、押下することにより連写スイッチ１５ａがオン状態にされ、レリーズスイッチ１４ａがオン状態にされている間、１秒間に３コマなど時間的に連続して複数の被写体が撮像される。動画ボタン１６は、レリーズスイッチ１４ａがオン状態にされている間、記録するフレーム間隔で被写体が撮像される。
【００１８】
照明用ＬＥＤ３１は、周囲が暗い場合などに露光タイミングに合わせて露光時間内の間点灯して被写体に適当な光量を供給する照明装置である。照明用ＬＥＤ３１は、パルス信号により駆動する。パルス信号は、一定周期（デューティ周波数の逆数）でオンとオフが繰り返し行われる矩形波の信号で、デューティ周波数は照明用ＬＥＤ３１がちらつきを生じない５０Ｈｚ以上すなわち１周期が１／５０秒以下であるのが望ましい。このデューティ周波数は、ＣＰＵ２１に予めセットされているが、使用者により変更できるようにしてもよい。照明用ＬＥＤ３１に供給されるパルス信号については後述する。
【００１９】
パルス信号の１周期の中でオン状態の時間的長さの割合をデューティ比で表す。照明用ＬＥＤ３１が使用される場合、撮像動作が行われる露光時間内は、ＣＰＵ２１は、デューティ比Ｄ２（０％＜Ｄ２＜１００％）でパルス信号（初期パルス信号）を出力し、露光時間外はパルス信号を出力しない（デューティ比：０％）。
【００２０】
本実施形態では、使用者がＬＥＤオンスイッチ１２ａをオン状態にさせた時に強制的に照明用ＬＥＤ３１を点灯させる形態を説明するが、測光によって得られた露光値から自動的に照明用ＬＥＤ３１を点灯させる形態であってもよい。
【００２１】
これらのスイッチの入力信号に対応する各種の出力はＣＰＵ２１によって制御される。ＣＰＵ２１の入出力信号を図５の回路構成図で説明する。ＬＥＤオンスイッチ１２ａ、測光スイッチ１３ａ、レリーズスイッチ１４ａ、連写スイッチ１５ａ、動画スイッチ１６ａのオン／オフ情報は、それぞれ１ビットのデジタル信号としてＣＰＵ２１のポートＰ１２、Ｐ１３、Ｐ１４、Ｐ１５、Ｐ１６に入力される。撮像ブロック２２、被写体の測光動作を実行して露光値を演算し、この露光値に基づき撮影に必要となる絞り値及び露光時間を演算するＡＥ部２３、及び測距を行い測距結果に基づき撮影に必要となる合焦動作を行うＡＦ部２４は、それぞれポートＰ３、Ｐ４、Ｐ５で信号の入出力が行われる。
【００２２】
ポートＰ２０では、照明用ＬＥＤ３１を点灯させるパルス信号を供給する分周器３７、第１、第２アンド回路３６ａ、３６ｂが接続される。ＣＰＵ２１は、ポートＰ２０を介してデューティ比Ｄ２の初期パルス信号を分周器３７及び第１、第２アンド回路３６ａ、３６ｂへ入力する。
【００２３】
照明用ＬＥＤ３１には、２つのパルス信号（第１、第２パルス信号）が供給される。第１パルス信号は、ＣＰＵ２１のポートＰ２０から出力される初期パルス信号と、分周器３７によって初期パルス信号の２倍の周期で出力された第１中間パルス信号とが第１アンド回路３６ａで論理積演算されて形成され、第１点灯回路３３ａを介して照明用ＬＥＤ３１に供給される。第２パルス信号は、ＣＰＵ２１のポートＰ２０から出力される初期パルス信号と、分周器３７によって第１中間パルス信号と逆位相で出力された第２中間パルス信号とが第２アンド回路３６ｂで論理積演算されて形成され、第２点灯回路３３ｂを介して照明用ＬＥＤ３１に供給される。従って、ＣＰＵ２１、分周器３７、第１、第２アンド回路３６ａ、３６ｂは、第１、第２パルス信号を出力するパルス信号出力機能を有する。第１、第２パルス信号が供給される照明用ＬＥＤ３１は、実質的に２つのパルス信号が足し合わされたパルス信号が供給された場合と同等の効果で点灯する。
【００２４】
ＣＰＵ２１のポートＰ２０では、第２周期Ｃ２、第１パルス幅τ１、第２デューティ比Ｄ２（＝τ１／Ｃ２）の初期パルス信号が出力される（図６の（１））。初期パルス信号は分周器３７のＣＬＫ端子に入力され、初期パルス信号の２倍の第１周期Ｃ１、第２パルス幅τ２（＝Ｃ２）、５０％デューティ比（＝τ２／Ｃ１）の第１中間パルス信号（図６の（２））がＱ端子から出力され、第１中間パルス信号と逆位相すなわち初期パルス信号の２倍の第１周期Ｃ１、第２パルス幅τ２（＝Ｃ２）、５０％デューティ比（＝τ２／Ｃ１）の第２中間パルス信号（図６の（３））がＱバー端子から出力される。
【００２５】
第１アンド回路３６ａは、初期パルス信号と第１中間パルス信号の論理積演算を行う。論理積演算は、初期パルス信号のクロックに同期して、初期パルス信号と第１中間パルス信号の起点が合わされて行われる。論理積演算された第１パルス信号は、第１周期Ｃ１、第１パルス幅τ１、第１デューティ比Ｄ１（＝τ１／Ｃ１）である。従って第１デューティ比Ｄ１は、第２デューティ比Ｄ２の１／２である。第１パルス信号は、第１点灯回路３３ａ、制限抵抗３２を介して照明用ＬＥＤ３１に供給される。
【００２６】
第１点灯回路３３ａは、第１トランジスタＴｒ１と第１、第２バイアス抵抗３４ａ、３５ａで構成される。第１トランジスタＴｒ１は、第１照明用ＬＥＤ３１に供給される第１パルス信号をスイッチングするように接続されたＮＰＮトランジスタで、ベースが第１抵抗３４ａを介して第１アンド回路３６ａに接続されている。第２抵抗３５ａは、ベースとエミッタの間に接続される。
【００２７】
第２アンド回路３６ｂは、初期パルス信号と第２中間パルス信号の論理積演算を行う。論理積演算は、初期パルス信号のクロックに同期して、初期パルス信号と第２中間パルス信号の起点が合わされて行われる。論理積演算された第２パルス信号は、第１周期Ｃ１、第１パルス幅τ１、第１デューティ比Ｄ１（＝τ１／Ｃ１）である。第２パルス信号は、第２点灯回路３３ｂ、制限抵抗３２を介して照明用ＬＥＤ３１に供給される。
【００２８】
第１、第２パルス信号は、共に第１周期Ｃ１、第１パルス幅τ１、第１デューティ比Ｄ１のパルス信号であるが、位相すなわちパルスがオン状態になるタイミングが、互いに１／２周期分すなわち第１周期Ｃ１の１／２（＝Ｃ２）だけずれる。
【００２９】
第１点灯回路３３ａと同様の構成で、第２点灯回路３３ｂは、第２トランジスタＴｒ２と第３、第４バイアス抵抗３４ｂ、３５ｂで構成される。第２トランジスタＴｒ２は、照明用ＬＥＤ３１に供給される第２パルス信号をスイッチングするように接続されたＮＰＮトランジスタで、ベースが第３抵抗３４ｂを介して第２アンド回路３６ｂに接続されている。第４抵抗３５ｂは、ベースとエミッタの間に接続される。
【００３０】
本実施形態では、第１、第２トランジスタＴｒ１、Ｔｒ２のそれぞれのコレクタは照明用ＬＥＤ３１のカソード側に接続される回路構成を説明するが、第１、第２トランジスタＴｒ１、Ｔｒ２を並列に接続するあるいはダーリントン接続する回路構成でもよい。但し、並列につなぐ場合はバランス用に各トランジスタのエミッタ側にエミッタ抵抗を接続させる必要があり、エミッタ抵抗による電圧降下のため比較的大きな照明用ＬＥＤを使用する時に電源効率は悪くなることを考慮する必要がある。またダーリントン接続の場合はＶＢＥが大きいためトランジスタへの入力電圧を考慮する必要がある。
【００３１】
測光スイッチ１３ａをオン状態にすることにより（レリーズボタン１４を半押し）、ポートＰ１３にオン信号が入力されると、ＣＰＵ２１は、ＡＥ部２３のＡＥセンサ（不図示）を駆動し、被写体光の測光動作を実行して露光値を演算し、この露光値に基づき撮影に必要となる絞り値及び露光時間を演算する。また、ＣＰＵ２１は、ＡＦ部２４のＡＦセンサ（不図示）を駆動し、測距を行う。この測距結果に基づきＡＦ部２４のレンズ制御回路（不図示）を駆動しレンズ位置を光軸方向に変位させ焦点距離調節を行う。
【００３２】
レリーズスイッチ１４ａをオン状態にすることにより（レリーズボタン１４を全押し）、ポートＰ１４にオン信号が入力されると、ＣＰＵ２１は、撮像動作を行う。すなわち上述した絞り値に応じて絞り機構（不図示）を駆動し、シャッタ機構（不図示）を所定のシャッタ速度でレリーズ駆動し、ＣＣＤなどの撮像ブロック２２を駆動し露光を行う。
【００３３】
レリーズスイッチ１４ａがオン状態にあり、かつＬＥＤオンスイッチ１２ａがオン状態にされ、ポートＰ１２、Ｐ１４にオン信号が入力されていると、ＣＰＵ２１は、撮像ブロック２２の露光タイミングに合わせて初期パルス信号を出力し、分周器３７、第１、第２アンド回路３６ａ、３６ｂ、及び第１、第２点灯回路３３ａ、３３ｂを介して照明用ＬＥＤ３１を点灯させる。
【００３４】
レリーズスイッチ１４ａがオン状態にあり、かつ連写スイッチ１５ａがオン状態にされ、ポートＰ１４、Ｐ１５にオン信号が入力されていると、ＣＰＵ２１は、レリーズスイッチ１４ａのオン状態が継続されている間、一定間隔で撮像すなわちシャッタ機構のレリーズ駆動、撮像ブロック２２の駆動、及び露光が行われる。従って、ＣＰＵ２１は、被写体の撮像を時間的に連続して２回以上行わせる連写制御機能を有する。連写スイッチ１５ａではなく、動画スイッチ１６ａがオン状態にされ、ポートＰ１４、Ｐ１６にオン信号が入力されていると、ＣＰＵ２１は、レリーズスイッチ１４ａのオン状態が継続されている間、記録するフレーム間隔で撮像ブロック２２の駆動、及び露光が行われる。
【００３５】
レリーズスイッチ１４ａがオン状態にあり、かつＬＥＤオンスイッチ１２ａ、及び連写スイッチ１５ａがともにオン状態にされている場合は、露光時間内においてＣＰＵ２１から初期パルス信号が出力される。
【００３６】
露光時間に合わせて、ＣＰＵ２１は第２周期Ｃ２、第１パルス幅τ１、第２デューティ比Ｄ２の初期パルス信号を出力する。分周器３７は初期パルス信号を第１周期Ｃ１、第２パルス幅τ２、５０％デューティ比の第１中間パルス信号と、第１中間パルス信号と逆位相の第１周期Ｃ１、第２パルス幅τ２、５０％デューティ比の第２中間パルス信号とに変換及び出力する。第１、第２中間パルス信号のデューティ比は共に、初期パルス信号のデューティ比の値に関係なく５０％である。第１アンド回路３６ａは初期パルス信号と第１中間パルス信号を論理積演算した第１周期Ｃ１、第１パルス幅τ１、第１デューティ比Ｄ１の第１パルス信号を出力する。第２アンド回路３６ｂは初期パルス信号と第２中間パルス信号を論理積演算した第１周期Ｃ１、第１パルス幅τ１、第１デューティ比Ｄ１の第２パルス信号を出力する。第１、第２パルス信号はそれぞれ第１、第２点灯回路３３ａ、３３ｂ、制限抵抗３２を介して照明用ＬＥＤ３１に供給される。
【００３７】
第１、第２パルス信号は第１周期Ｃ１、第１パルス幅τ１、第１デューティ比Ｄ１で互いに１／２周期分（Ｃ１の１／２の長さ）だけ位相がずれたパルス信号である。従って、第１、第２パルス信号が共に供給される照明用ＬＥＤ３１は、第２周期Ｃ２、第１パルス幅τ１、第２デューティ比Ｄ２のＣＰＵ２１から出力された初期パルス信号と同等のパルス信号が入力されることになる。すなわち照明用ＬＥＤ３１は、第１パルス信号の１パルスによる発光と、第２パルス信号の１パルスによる発光が交互に繰り返し行われる。従って、照明用ＬＥＤ３１は、ＣＰＵ２１から初期パルス信号が１つの点灯回路を介して供給された場合と同じ状態で発光することが可能になる。
【００３８】
しかし、照明用ＬＥＤ３１を駆動するための第１、第２トランジスタＴｒ１、Ｔｒ２は１パルスおきに切り換えて使用されるため、一個当たりのトランジスタの駆動パルスデューティ比が小さくなる。そのためトランジスタの安全動作領域が広くなり、コレクタ損失などトランジスタの定格が１つのトランジスタによって駆動されている場合に比べて小さいもので済む。１つのトランジスタで駆動されていた場合には、大型のトランジスタが使用されるため回路基板の小型化が困難であったが、２つのトランジスタを交互に駆動することにより小型のトランジスタが使われると回路基板の小型化ひいては装置全体の小型化に貢献することが可能になる。また、小型のトランジスタを使用できることにより、トランジスタ本体の発熱量も抑えることが可能になる。
【００３９】
レリーズスイッチ１４ａがオン状態にあり、かつＬＥＤオンスイッチ１２ａ、及び動画スイッチ１６ａがともにオン状態にされている場合は、前述のレリーズスイッチ１４ａがオン状態にあり、かつＬＥＤオンスイッチ１２ａと連写スイッチ１５ａがオン状態にされている場合と同様に、露光時間内においてＣＰＵ２１から初期パルス信号が出力される。
【００４０】
次に、連写時（連写スイッチ１５ａがオン状態）における照明用ＬＥＤ３１の点灯制御を図７のフローチャートで説明する。
【００４１】
ステップＳ１１で、撮像装置１の電源がオンにされると、ステップＳ１２で、ＣＰＵ２１に初期パルス信号のデューティ周波数がセットされる。但し、予めデューティ周波数をセットしておいてもよい。
【００４２】
ステップＳ１３で、測光スイッチ１３ａがオン状態にされたか否かを判断する。測光スイッチ１３ａがオン状態にされていない場合にはステップＳ１３を繰り返す。測光スイッチ１３ａがオン状態にされている場合は、ステップＳ１４で、ＡＥ部２３のＡＥセンサ駆動により測光が行われ、絞り値や露光時間が演算される。次に、ステップＳ１５で、ＡＦ部２４のＡＦセンサが駆動され測距が行われ、ＡＦ部２４のレンズ制御回路駆動により合焦動作が行われる。
【００４３】
ステップＳ１６で、レリーズスイッチ１４ａがオン状態にされたか否かを判断する。レリーズスイッチ１４ａがオン状態にされていない場合には、ステップＳ１７で測光スイッチ１３ａがオンにされたか否かを判断する。ステップＳ１７の判断で測光スイッチ１３ａがオン状態にされている場合はステップＳ１６に戻る。ステップＳ１７の判断で測光スイッチ１３ａがオン状態にされていない場合は、ステップＳ１３に戻る。ステップＳ１６の判断で、レリーズスイッチ１４ａがオン状態にされている場合は、ステップＳ１８で、ＬＥＤオンスイッチ１２ａがオン状態にされているか否かを判断する。
【００４４】
ステップＳ１８の判断で、ＬＥＤオンスイッチ１２ａがオン状態にされていない場合は、レリーズスイッチ１４ａに対応した露光時間の間、照明用ＬＥＤ３１は駆動されず、ステップＳ２０で照明用ＬＥＤ３１が消灯した状態でＣＣＤの電荷蓄積すなわち露光が行われる。オン状態にされている場合は、ステップＳ１９で、ステップＳ１６のレリーズスイッチ１４ａに対応した露光時間内の間、設定されたデューティ比Ｄ２で初期パルス信号が出力され、初期パルス信号は分周器３７、第１、第２アンド回路３６ａ、３６ｂ、及び第１、第２点灯回路３３ａ、３３ｂ、制限抵抗３２を介して、第１、第２パルス信号として照明用ＬＥＤ３１に供給され、ステップＳ２０で、照明用ＬＥＤ３１が点灯した状態でＣＣＤの電荷蓄積すなわち露光が行われる。
【００４５】
露光時間終了後、ステップＳ２１で、ステップＳ１９で点灯された照明用ＬＥＤ３１を消灯させる。すなわち、ＣＰＵ２１から出力される初期パルス信号のデューティ比がゼロにされる。ステップＳ２２で、ＣＣＤ入力、すなわち露光時間内の間ＣＣＤに蓄積された電荷が移動せしめられ、ステップＳ２３で、移動された電荷が撮像ブロック２２によって撮像された画像信号として撮像装置１内の映像メモリに記憶される。ステップＳ２４で、記憶された画像信号は、ＬＣＤモニタ１７によって表示される。
【００４６】
ステップＳ２５で、連写スイッチ１５ａがオン状態にされているか否かを判断する。連写スイッチ１５ａがオン状態にされている場合は、ステップＳ１６に戻り、次の露光が行われる。連写スイッチ１５ａがオン状態にされていない場合は、ステップＳ２６で、一連の連写時における照明用ＬＥＤ３１の点灯制御は終了する。
【００４７】
図７のフローチャートは、連写時だけでなく動画撮像時（動画スイッチ１６ａがオン状態）における照明用ＬＥＤ３１の点灯制御にも置き換えることが可能である。
【００４８】
なお、第１、第２パルス信号の発生手段は、図５の回路構成図のように、ＣＰＵ２１の１つのポートＰ２０から出力される初期パルスを分周器３７、第１、第２アンド回路３６ａ、３６ｂによって行う形態の他、図８のように、ＣＰＵ２１に２つのポートＰ２０、Ｐ２１を設け、それぞれのポートから第１、第２パルス信号を出力させる形態でもよい。
【００４９】
また、第１、第２パルス信号は、第１周期Ｃ１の中に第１パルス幅τ１のパルスを１つずつ有する形態として説明したが、図９に示すように第１周期Ｃ１の中に第１パルス幅τ１のパルスを２つずつ有する形態であってもよい。この場合の回路構成は、図１０に示すように２つの分周器３７ａ、３７ｂを備える。この形態であっても、２つのトランジスタ駆動で照明用ＬＥＤ３１を点灯させることによりトランジスタの負担を軽減させる効果は生じる。
【００５０】
さらに、第１、第２パルス信号は、第１周期Ｃ１の中に第１パルス幅τ１のパルスを３ずつ以上有する形態であってもよい（不図示）。
【００５１】
さらに、第１、第２パルス信号は、第１周期Ｃ１の中に第１パルス幅τ１のパルスを互いに異なる数ずつ有する形態であってもよい（不図示）。但し、この場合、第１、第２パルス信号の位相ずれは１／２周期とは異なる。
【００５２】
また、ＣＰＵ２１のポートＰ２０から出力される初期パルス信号は、２パルスごとに異なるパルス幅で出力されてもよい。具体的には、図１１に示すように、初期パルス信号を第２周期Ｃ２一定で、第１パルス幅を２パルスごとにτ、τ’、τ’’と変化させる（図１１の（１））。この場合も、第１、第２中間パルス信号は第２パルス幅τ２で一定すなわちデューティ比も５０％で一定である（図１１の（２）と（３））。第１、第２パルス信号は、それぞれ周期はＣ１で１パルスごとにパルス幅の異なり互いに１／２周期（＝Ｃ２）だけ位相のずれたパルス信号となる（図１１の（４）と（５））。第１、第２パルス信号を足し合わせたパルス信号（図１１の（６））は、初期パルス信号と同等のパルス信号となり、この場合も上記の本実施形態と同様の効果が得られる。
【００５３】
本実施形態では、照明装置はＬＥＤの発光によるものとして説明したが、トランジスタ回路を介したパルス駆動で、露光時間内に照明させ、連続使用により発光部材の温度が上昇し、温度上昇により光量が低下するような他の発光部材であってもよい。
【００５４】
本発明の実施形態として、撮像装置１は、撮像素子により被写体を撮像するデジタルカメラの形態を説明したが、銀塩カメラであっても同様の効果が得られる。
【図面の簡単な説明】
【００５５】
【図１】ＬＥＤの温度上昇と光量減少の関係を示す図である。
【図２】ＤＣ駆動とパルス駆動の場合の、時間変化によるＬＥＤの温度変化を示す図である。
【図３】本実施形態の撮像装置の外観を示す背面からみた斜視図である。
【図４】撮像装置の正面図である。
【図５】撮像装置の回路構成図である。
【図６】ＣＰＵなどから出力されるパルス信号の波形を示すタイミングチャートである。
【図７】連写時における露光時間内にＬＥＤを点灯させるフローチャートである。
【図８】第１、第２パルス信号を、ＣＰＵの２つのポートから出力させる回路構成図である。
【図９】第１、第２パルス信号から一周期の中でパルスを２つずつ発生させる場合のタイミングチャートである。
【図１０】第１、第２パルス信号から一周期の中でパルスを２つずつ発生させる場合の回路構成図である。
【図１１】初期パルス信号で出力されるパルス幅が２パルスごとに異なる場合のタイミングチャートである。
【符号の説明】
【００５６】
１  撮像装置
１１  光学ファインダ
１２  ＬＥＤオンボタン
１４  レリーズボタン
１５  連写ボタン
１６  動画ボタン
１７  ＬＣＤモニタ
２２  撮像ブロック
２３  ＡＥ部
２４  ＡＦ部
３１  照明用ＬＥＤ
３３ａ  第１点灯回路
３３ｂ  第２点灯回路
３６ａ  第１アンド回路
３６ｂ  第２アンド回路
３７  分周器
【図１】
2005128420.tif 000003
【図２】
2005128420.tif 000004
【図３】
2005128420.tif 000005
【図４】
2005128420.tif 000006
【図５】
2005128420.tif 000007
【図６】
2005128420.tif 000008
【図７】
2005128420.tif 000009
【図８】
2005128420.tif 000010
【図９】
2005128420.tif 000011
【図１０】
2005128420.tif 000012
【図１１】
2005128420.tif 000013